(57)【特許請求の範囲】
【請求項１】
スピーカ本体を支持するスピーカ脚部と、
前記スピーカ脚部に設けられる孔部と、
前記孔部に挿入される脚部取付部と、
前記スピーカ脚部に設けられる前記脚部取付部と締結する締結部の移動を規制する規制部と、を有し、
前記孔部は、前記脚部取付部の径よりも小さく該脚部取付部が引っ掛かる引掛孔部と、前記脚部取付部の径よりも大きく該脚部取付部を前記孔部から取り出すことが可能である取出孔部からなり、
前記規制部は、前記締結部の締結方向への移動を規制することを特徴とするスピーカ装置。
【請求項２】
前記締結部は、前記孔部に収容され、前記脚部取付部と締結することによって前記スピーカ本体を固定し、
前記孔部は上方と下方で径が異なり、上方の孔部は前記脚部取付部を挿入することが可能な大きさで前記締結部よりも径が小さく、下方の孔部は締結部を挿入することが可能な大きさで構成されていることを特徴とする請求項１に記載のスピーカ装置。
【請求項３】
前記締結部と前記脚部取付部は螺子締結構造であることを特徴とする請求項１又は２に記載のスピーカ装置。
【請求項４】
前記規制部は、前記締結部の側面に設けられる締結溝部に嵌ることで、前記締結が解除された際に前記締結部の締結方向への移動を所定幅内に規制し、前記締結部が必要以上に緩むことを防止することを特徴とする請求項１〜３の何れか一項に記載のスピーカ装置。
【発明の詳細な説明】
【技術分野】
【０００１】
本発明は、スピーカ装置に関する。
【背景技術】
【０００２】
従来から、ユーザの好みの音響空間を形成するために、スピーカの位置や角度、高さを調整可能としたスピーカが知られている。例えば、バッフル板をスピーカボックスに対して任意の角度に変更することにより音波の放射方向を変更する技術（例えば、特許文献１を参照）や、ステーの両端部側に配置したブロック体をスピーカ取付部の裏面側に当接させた状態でステーを介してボルトとナットでスピーカユニットを締め付け固定し、ブロック体の段数によってステーの高さ位置を自由に設定する技術（例えば、特許文献２を参照）が開発されている。また、支柱の任意の高さ位置でスピーカキャビネットを固定するねじを締着することによりスピーカキャビネットの高さを無段階に設定する技術（例えば、特許文献３を参照）や、固定バンドを車両のピラー等に巻き付け、スピーカケースを支持したブラケットをピラーに固定することにより車両の振動などに起因するスピーカケースの落下を防止する技術（例えば、特許文献４を参照）が開発されている。
【０００３】
この他にも、ボールジョイントを用いてスピーカ装置を支持することにより、スピーカ装置の回転方向および揺動方向について容易に放音方向を調整する技術（例えば、特許文献５を参照）や、スピーカ本体に固定されるジョイントと、自動車の取付け位置に応じて取付けられるアームまたはスタンドを結合する部分に角度調整機構を備えることによりスピーカの取付け角度を調整する技術（例えば、特許文献６を参照）が開発されている。また、昇降機を動作させることにより、連結手段を回動中心として台座に対して表示部本体を回動動作させ、表示部本体の仰角を微調整する技術（例えば、特許文献７を参照）や、操作受付部を介して受け付けられたスピーカ押圧手段に対する操作に従ってスピーカ押圧手段による押圧力を調整することによりスピーカの向きを調整する技術（例えば、特許文献８を参照）、スタンドに設けられるネジ穴にネジを螺合することによりスピーカの向きを調整する技術（例えば、特許文献９を参照）が開発されている。
【先行技術文献】
【特許文献】
【０００４】
【特許文献１】実開平５−６３１９３号公報
【特許文献２】実開平２−１４５８８９号公報
【特許文献３】特開２００５−２３６７１１号公報
【特許文献４】特開２００５−７９７４２号公報
【特許文献５】実開平５−６５１９１号公報
【特許文献６】特開平４−２００９８号公報
【特許文献７】特開２００９−１７１４５９号公報
【特許文献８】特開２０１０−１５４１８０号公報
【特許文献９】特開２００２−４６５３８号公報
【特許文献１０】特開２００４−３０４７３６号公報
【発明の概要】
【発明が解決しようとする課題】
【０００５】
図１は、従来のスピーカ装置１００の構造を下方から見た概略図である。従来のスピーカ装置１００は、図１に示すように、スピーカ本体１０１と、スピーカ本体１０１を支持する脚部１０２と、スピーカ本体１０１と脚部１０２とを締結する固定部１０３を備える。固定部１０３は、ボルト１０４とワッシャ１０５とナット１０６とを有する。スピーカ
本体１０１の底部に設けられたスリット部１０７にボルト１０４の頭部が通され、ボルト１０４の軸部がスピーカ本体１０１の底部から下方に向かって飛び出る。脚部１０２には、該脚部１０２の上方から下方へ貫通し、ボルト１０４の軸部が挿入可能な孔部１０８が設けられている。ボルト１０４の軸部を孔部１０８の上方から挿入し、脚部１０２を介して孔部１０８の下方からワッシャ１０５とナット１０６をボルト１０４の軸部に取り付け、ボルト１０４とナット１０６を締め付けることによって、スピーカ本体１０１と脚部１０２が締結される。この従来のスピーカ装置１００において、スピーカ本体１０１の角度を調整する際、スピーカ本体１０１の底部に設けられた角度調整ネジ１０９とナット１０６を緩め、スピーカ本体１０１が、ボルト１０４を軸として該スピーカ本体１０１の前後方向にスリット部１０７に沿ってスライド移動することによって、脚部１０２に対するスピーカ本体１０１の相対的な角度が変化し、スピーカ本体１０１の角度を所定の範囲内で任意に調整をすることが可能である。しかし、この従来スピーカ装置１００は、ナット１０６が緩むと、ナット１０６とワッシャ１０５がボルト１０４から外れてしまい、スピーカ本体１０１と脚部１０２とが容易に外れてしまう。
【０００６】
図２は、従来のスピーカ装置１００を天井に取り付けた状態を示す概略図である。従来のスピーカ装置１００を天井に取り付ける場合、脚部１０２を上方、スピーカ本体１０１を下方にして設置される。スピーカ本体１０１の角度を調整する際、図１に示す角度調整ネジ１０９とナット１０６を緩めることによって行われるため、ナット１０６とワッシャ１０５がボルト１０４から外れてしまうことがあり、スピーカ本体１０１と脚部１０２とが外れ、スピーカ本体１０１が床等に落下し、スピーカ本体１０１が破損する恐れがある。そこで、従来のスピーカ装置１００は、スピーカ本体１０１と脚部１０２とが外れてしまっても、スピーカ本体１０１が脱落しないように、スピーカ本体１０１をワイヤー１１０と繋ぎ、ワイヤー１１０の先端をネジ１１１によって天井に止める仕様としていた。この場合、発生頻度は稀ではあるが、スピーカ本体１０１と脚部１０２とが外れた際、スピーカ本体１０１がワイヤー１１０により天井からぶら下がった不安定な状況が発生する可能性がある。
【０００７】
そこで、本発明では、スピーカ本体の角度を調整する際にスピーカ本体と脚部との締結が緩んだ場合であっても、スピーカ本体と脚部とが外れないスピーカ装置を提供することを目的とする。
【課題を解決するための手段】
【０００８】
本発明は、上述した課題を解決するために、スピーカ本体と脚部とを固定する固定部の構造を工夫した。これにより、スピーカ本体の角度を調整する際、スピーカ本体と脚部とが外れないスピーカ装置を提供することが可能である。
【０００９】
詳細には、本発明に係るスピーカ装置は、孔部を有するスピーカ本体と、前記スピーカ本体を保持するスピーカ保持部と、前記孔部に係合する、前記スピーカ保持部に設けられ該スピーカ本体を支持する脚部と、前記スピーカ本体と前記脚部とを固定する固定部とを備え、前記固定部は、一端に設けられた、前記スピーカ本体内に収容されるスピーカ本体取付部であって、前記スピーカ本体内で該スピーカ本体と相対的に移動することで、該スピーカ本体の前記脚部に対する相対的な角度を変更自在とするスピーカ本体取付部と、他端に設けられ、前記孔部に挿入される脚部取付部と、前記脚部取付部と螺子締結されることで前記スピーカ本体取付部が前記スピーカ本体内で移動するのを規制して前記スピーカ本体と前記脚部とを固定する締結部と、を有し、前記脚部取付部は、前記締結部による螺子締結が解除された際、前記孔部から前記固定部が抜けるのを規制して前記スピーカ本体と前記脚部との分離を規制する。
【００１０】
本発明に係るスピーカ装置では、スピーカ本体取付部がスピーカ本体内で該スピーカ本
体と相対的に移動することで、該スピーカ本体の脚部に対する相対的な角度が変更自在となる。相対的な角度には、水平方向における角度、垂直方向における角度が含まれる。例えば、スピーカ本体に孔を設け、この孔に固定部の軸部を通し、スピーカ本体部を軸部の径よりも大きく形成した場合には、螺子締結を解除することでスピーカ本体が水平方向において角度調整自在となる。また、スピーカ本体における脚部側の面を曲面とし、曲面に沿って孔を形成し、上記と同様にスピーカ本体取付部を形成した場合には、スピーカ本体が垂直方向において角度調整自在となる。そして、スピーカ本体取付部のスピーカ本体内での移動は、締結部が規制する。すなわち、締結部が脚部取付部と螺子締結されることで、スピーカ本体取付部がスピーカ本体内で移動することが規制され、その結果スピーカ本体と脚部とが固定される。更に、本発明に係るスピーカ装置では、脚部取付部により、締結部による螺子締結が解除された際、孔部から固定部が抜けることが規制されスピーカ本体と脚部との分離が規制される。つまり、本発明に係るスピーカ装置は、スピーカ本体の脚部に対する相対的な角度を変化させる際、スピーカ本体取付部がスピーカ本体に取り付けられ、脚部取付部が孔部に引っ掛かるため、スピーカ本体と脚部との分離が防止される。従って、本発明に係るスピーカ装置は、天井に取り付けられた場合であっても、スピーカ本体と脚部とが固定部により繋がっておりスピーカ本体が脚部から落ちないため、スピーカ本体が床等に落下し破損することを防ぎ、ユーザに当たることを防ぐことが可能である。なお、螺子締結された状態とは、脚部取付部に対して締結部が締められた状態を意味する。一方、螺子締結が解除された状態とは、螺子締結された以外の状態であり、脚部取付部に対する締結部の締めつけが緩められた状態の他、締結部が脚部取付部から分離した状態も含む。
【００１１】
ここで、本発明に係るスピーカ装置において、前記締結部は、該締結部の側面の周囲に設けられ、前記固定部の軸方向としての締結方向において所定幅を有する締結溝部を有し、前記固定部は、先端が前記締結溝部に収容されることで、前記螺子締結が解除された際、前記締結部の締結方向への移動を前記所定幅内に規制する規制部を更に有する構成としてもよい。
【００１２】
本発明に係るスピーカ装置では、締結部の螺子締結を解除する際における締結部の移動が制限される。すなわち、締結部を緩めた場合でも、締結溝部の壁と規制部の先端が接触することで、それ以上締結部を緩めることができなくなる。その結果、スピーカ本体と脚部との分離が防止される。
【００１３】
また、本発明に係るスピーカ装置において、前記脚部は、前記孔部と連設し、前記脚部取付部の径よりも大きく、該脚部取付部を前記脚部から取り出すことが可能である取出孔部を更に有する構成としてもよい。
【００１４】
取出孔部は、脚部取付部の径よりも大きい径を有することから、連設する孔部から脚部取付部を移動させることで、脚部取付部を脚部から取り出すことが可能となる。具体的には、規制部による規制を解除、換言すると規制部の先端を締結溝部から退避させ、更に、締結部による螺子締結を解除して、締結部を脚部取付部から分離し、脚部取付部を孔部から取出孔部までスライド移動させることで脚部取付部が取出孔部から外れる。尚、スピーカ本体取付部はスピーカ本体に取り付けられた状態のままである。その結果、本発明に係るスピーカ装置は、スピーカ本体取付部が引っ掛かったスピーカ本体と、脚部とに分離することが可能である。以上により、本発明に係るスピーカ装置は、スピーカ本体と脚部とを容易に取り外すことが可能である。なお、分離されたスピーカ本体と脚部とを固定する場合には、上記と逆の動作を行えばよい。
【００１５】
また、本発明に係るスピーカ装置は、スピーカ本体と、前記スピーカ本体を支持する脚部と、前記スピーカ本体と前記脚部とを固定する固定部と、前記固定部による前記スピー
カ本体と前記脚部との固定が解除された際、前記スピーカ本体と前記脚部とを結ぶ結合部と、を備えてもよい。
【００１６】
本発明に係るスピーカ装置は、スピーカ本体と、脚部と、固定部と、結合部とを備える。スピーカ本体は、脚部に支持され、固定部によって脚部と固定される。また、固定部によるスピーカ本体と脚部との固定解除された場合であっても、結合部によってスピーカ本体と脚部とを結合するため、スピーカ本体と脚部とが外れない。従って、本発明に係るスピーカ装置は、天井に取り付けられた場合であっても、スピーカ本体が脚部から落ちないため、スピーカ本体が床等に落下し破損することを防ぎ、ユーザに当たることを防ぐことが可能である。
【発明の効果】
【００１７】
本発明によれば、スピーカ本体の角度を調整する際にスピーカ本体と脚部との締結が緩んだ場合であっても、スピーカ本体と脚部とが外れないスピーカ装置を提供することが可能である。
【図面の簡単な説明】
【００１８】
【図１】従来のスピーカ装置を示す下方から見た概略図である。
【図２】従来のスピーカ装置が天井に取り付けられた概略図である。
【図３】本発明の実施例１に係るスピーカ装置の断面概略図である。
【図４】本発明の実施例１に係るスピーカ装置のスピーカ本体溝部と固定部の一部を示す拡大図である。
【図５】本発明の実施例１に係るスピーカ装置の固定部周辺の断面概略図である。
【図６】本発明の実施例１に係るスピーカ装置の脚部の上方一部を示す概略図である。
【図７】図６のA-A断面図である。
【図８】図６のB-B断面図である。
【図９】本発明の実施例１に係るスピーカ装置のスピーカ本体の角度調整を示す概略図である。
【図１０】本発明の実施例１に係るスピーカ装置のスピーカ本体と脚部が分離された状態を示す概略図である。
【図１１】スピーカ本体と脚部を分離するための、各部品を取り外す順番を示す概略図である。
【図１２】分離されたスピーカ本体と脚部を繋ぐための、各部品を取り付ける順番を示す概略図である。
【図１３】本発明の実施例２に係るスピーカ装置の断面概略図である。
【図１４】本発明の実施例２に係るスピーカ装置の締結部周辺の拡大図である。
【図１５】本発明の実施例２に係るスピーカ装置の脚部上方を示す概略図である。
【図１６】本発明の実施例２に係るスピーカ装置の断面概略図である。
【発明を実施するための形態】
【００１９】
ここで、本発明の実施例に係るスピーカ装置について、図面に基づいて説明する。以下に示す実施例は例示であり、本発明はこれらに限定されるものではない。
【実施例１】
【００２０】
本発明の実施例１に係るスピーカ装置１は、スピーカ本体２と、脚部３と、固定部４とを備える。各構成について、図面を基に具体的に説明する。尚、本発明の実施例１に係るスピーカ装置１は、別途説明が無い限り、スピーカ本体２が上方、脚部３が下方に位置する状態で設置されているとする。
【００２１】
図３は、本発明の実施例１に係るスピーカ装置１の断面概略図である。図３は、左側がスピーカ装置１の前方、右側がスピーカ装置１の後方となるようにスピーカ装置１を見た構造を示す。図４は、スピーカ本体２に設けられるスピーカ本体溝部２３と、固定部４の一部を示す拡大図である。図５は、左側をスピーカ装置１の前方、右側をスピーカ装置１の後方に位置した状態の固定部４周辺の断面概略図である。スピーカ本体２は、図３に示すように、スピーカ２１を内蔵し、外観が略球体状に形成されている。尚、スピーカ２１は、電気信号を音声に変換するものであり、スピーカ２１内の構造については省略する。スピーカ本体２は、固定部４によって脚部３と固定され、脚部３により支持され、且つ脚部３により保持される。また、スピーカ本体２の内部の下方には、図５に示すように、中空部２２が設けられる。中空部２２は、固定部４のスピーカ本体取付部４１を収容し、スピーカ本体取付部４１を軸としてスピーカ本体２の前後方向にスライド移動することが可能な長さの空間である。中空部２２の底面は、図３に示すように、符号Ａを中心とし、符号Ｒで示される半径の円弧に沿った曲面を形成している。また、中空部２２の底面には、図４に示すように、スピーカ本体２の前後方向に沿って延在する溝であるスピーカ本体溝部２３が設けられる。スピーカ本体２の左右方向に対するスピーカ本体溝部２３の幅Pは
、スピーカ本体取付部４１の径Qよりも小さく、スピーカ本体取付部４１がスピーカ本体
溝部２３に引っ掛かる。
【００２２】
図６は、脚部３の上方一部を示す概略図である。図７は、図６のＡ−Ａ断面図であり、脚部３を正面方向から見た断面概略図である。図８は、図６のＢ−Ｂ断面図であり、脚部３を正面方向から見た断面概略図である。脚部３は、図３に示すように、固定部４によってスピーカ本体２と固定され、スピーカ本体２を支持し、且つスピーカ本体２を保持する。脚部３は、土台部３１と首部３２を有する。土台部３１は、円盤状の形状をしており、床等の平らな面に設置されることにより、安定してスピーカ本体２を保持することが可能である。また、本発明の実施例１に係るスピーカ装置１は、土台部３１を天井に取り付けることにより、脚部３を上方、スピーカ本体２を下方に位置する状態で使用することが可能である。首部３２は、土台部３１の上面端部から土台部３１の中心方向に向かって上方に延びるように設置され、固定部４によりスピーカ本体２と固定され、該スピーカ本体２を支持する。また、首部３２は、固定部４によって固定される周辺に円錐状の突起３３が設けられる。突起３３がスピーカ本体２の下方の曲面に当接することによって、スピーカ本体２が支持される。また、首部３２には、図５から図８に示すように、鉛直方向に貫通した孔部３４と取出孔部３５が設けられる。図６に示すように、孔部３４が首部３２の上方側に設けられ、取出孔部３５が首部３２の下方側に設けられる。また、図５及び図６に示すように、孔部３４は取出孔部３５と繋がっており、脚部３の前後後方に所定の長さを有する。更に、孔部３４は、図７に示すように、上方と下方で脚部３の左右方向に異なる径の孔を有し、上方の孔部３４１が脚部取付部４２の径よりも小さく、下方の孔部３４２が脚部取付部４２の径及び締結部４３の径よりも大きい。従って、脚部取付部４２は、孔部３４に引っ掛かった状態を維持して、脚部３の前後方向にスライド移動することが可能である。一方、取出孔部３５は、図８に示すように、上方と下方で脚部３の左右方向に同等の径の孔を有し、脚部取付部４２の径よりも大きく、且つ、締結部４３の径よりも小さい。取出孔部３５は孔部３４と繋がっており、孔部３４に引っ掛かった脚部取付部４２を取出孔部３５までスライド移動し、脚部取付部４２を上方に引っ張ることにより、脚部取付部４２を取出孔部３５から取り出すことが可能である。尚、下方の孔部３４２は、締結部４３を下方から挿入することが可能な大きさとなる。
【００２３】
更に、首部３２は、図５及び図６に示すように、取出孔部３５に向けて規制部３７を挿入する規制部挿入孔３６を有する。規制部３７は、図５に示すように、頭部３７１と軸部３７２とを有するビスである。規制部挿入孔３６は、軸部３７２の径よりも大きく、頭部３７１の径よりも小さい。従って、軸部３７２が規制部挿入孔３６に挿入し、頭部３７１が規制部挿入孔３６の開口部に引っ掛かり、規制部３７がこれ以上、規制部挿入孔３６に
挿入されないような構造となっている。また、軸部３７２は、規制部挿入孔３６を貫通し、取出孔部３５まで飛び出る長さである。更に、ユーザが規制部３７を規制部挿入孔３６に挿入しやすいように、規制部挿入孔３６の開口部から首部３２の後方に溝３８（図６参照）が形成されている。
【００２４】
固定部４は、スピーカ本体２と脚部３とを固定する。固定部４は、図５に示すように、スピーカ本体取付部４１と、脚部取付部４２と、締結部４３と、締結溝部４４と、規制部３７とを有する。スピーカ本体取付部４１は、軸部４６を介して脚部取付部４２と繋がっており、軸部４６の径よりも大きい。スピーカ本体取付部４１は、スピーカ本体２に設けられたスピーカ本体溝部２３に引っ掛かることにより、スピーカ本体２に取り付けられる。また、スピーカ本体取付部４１は、スピーカ本体溝部２３に沿ってスピーカ本体２の前後方向にスライド移動することが可能である。尚、スピーカ本体取付部４１が中空部２２の底面と接する面は、中空部２２の底面の曲面と同じ径の曲面により形成されている曲面部４７を有する。その結果、スピーカ本体取付部４１は、スピーカ本体溝部２３に沿ってスライド移動し易い。また、スピーカ本体取付部４１は、図４に示すように、直線部４８と曲線部４９を有し、円の一部が切断された形状をしている。スピーカ本体取付部４１の対向する直線部４８を繋ぐ径は、中空部２２の短手方向の幅よりも若干小さく、スピーカ本体溝部２３の短手方向の幅よりも大きい。一方、スピーカ本体取付部４１の対向する曲線部４９を繋ぐ径は、中空部２２の短手方向の幅よりも大きい。その結果、図４に示すように、スピーカ本体取付部４１の直線部４８が中空部２２のスライド方向の側面と対向するように設置され、スピーカ本体取付部４１がスピーカ本体溝部２３に引っ掛かった状態で回転する場合、スピーカ本体取付部４１が中空部２２の側面に当たるため、スピーカ本体取付部４１の回転を防止することが可能である。
【００２５】
脚部取付部４２は、図３及び図５に示すように、脚部３が有する孔部３４に引っ掛かり、脚部３に取り付けられる。脚部取付部４２は、軸部４６を介してスピーカ本体取付部４１と繋がっており、軸部４６の径よりも大きい。また、脚部取付部４２は、孔部３４に沿ってスライド移動することが可能である。更に、脚部取付部４２は、孔部３４から取出孔部３５までスライド移動し、上方向であるスピーカ本体２方向に引っ張られることにより、取出孔部３５から取り外すことが可能である。また、脚部取付部４２は、取出孔部３５から挿入し、孔部３４までスライド移動することにより、孔部３４に引っ掛かる。更に、脚部取付部４２は、外面に螺旋状の溝が切られており（不図示）、雄ネジの役割をする。
【００２６】
締結部４３は、脚部取付部４２の外面に形成された溝に嵌り合うように、内面に螺旋状の溝が切られており（不図示）、雌ネジの役割をする。締結部４３は、図３、図５及び図７に示すように、下方の孔部３４２から挿入され、孔部３４の下方に突出している脚部取付部４２に対して螺子締結することにより、スピーカ本体２と脚部３とを固定する。
締結部４３が脚部取付部４２に対する螺子締結を解除することにより、スピーカ本体２と脚部３との締結が解除され、固定が解除される。また、締結部４３は、該締結部４３の側面の周囲に締結溝部４４が設けられる。規制部挿入孔３６から挿入された規制部３７の先端が締結溝部４４に収容されることで、螺子締結が解除された際、締結部４３の締結方向への移動を締結溝４４の幅内に規制することができる。その結果、締結部４３が必要以上に緩むことを防止することができる。なお、締結溝部４４を設けず、規制部３７を締結部４３の側面に接触させて緩みを規制するようにしてもよい。
【００２７】
本発明の実施例１に係るスピーカ装置１は、締結部４３が脚部取付部４２に対する螺子締結を解除した場合であっても、締結部４３が脚部３に保持されている。また、本発明の実施例１に係るスピーカ装置１は、締結部４３が脚部取付部４２に対する螺子締結を解除した状態から、再び締結部４３が脚部取付部４２に対して螺子締結する際、締結部４３が脚部３に保持されているため取り扱いやすい。更に、本発明の実施例１に係るスピーカ装
置１は、天井に取り付けられた状態で、締結部４３が脚部取付部４２に対する螺子締結を解除した場合であっても、締結部４３が脚部３に保持されるため、締結部４３が落下することがなく、取り扱いやすい。尚、締結部４３を脚部３から取り出す際は、規制部３７を規制部挿入孔３６から取り出すことにより、下方の孔部３４２から取り出すことが可能である。
【００２８】
次に、本発明の実施例１に係るスピーカ装置１の角度調整方法について説明する。図９は、スピーカ本体２の角度調整を示す概略図である。本発明の実施例１に係るスピーカ装置１は、図３に示すように、固定部４によってスピーカ本体２と脚部３とを固定し、スピーカ本体２の脚部３に対する相対的な角度が固定されている。スピーカ本体２の角度を調整する際は、先ず、脚部取付部４２に対して螺子締結する方向とは反対の方向に締結部４３を回転することにより、締結部４３が脚部取付部４２に対する締結を解除し、スピーカ本体２と脚部３との固定が解除される。その際、締結部４３は、規制部挿入孔３６から挿入された規制部３７が締結溝部４４に嵌ることにより、脚部３に保持される。次に、スピーカ本体２が、スピーカ本体取付部４１を軸としてスピーカ本体２の前後方向にスピーカ本体溝部２３に沿ってスライド移動することにより、脚部３に対する相対的な角度が変化する。図９は、スピーカ本体２が、スピーカ本体取付部４１を軸としてスピーカ本体溝部２３に沿ってスピーカ本体２の後ろ方向にスライド移動した様子を示す概略図である。スピーカ本体２が該スピーカ本体２の後ろ方向にスライド移動する、つまり、スピーカ本体取付部４１がスピーカ本体溝部２３の前方向にスライド移動することにより、図９に示すように、角度αだけ斜め下方向を向く。一方、スピーカ本体２がスピーカ本体取付部４１を軸として、スピーカ本体２の前方向にスピーカ本体溝部２３に沿ってスライド移動する、つまり、スピーカ本体取付部４１がスピーカ本体溝部２３の後ろ方向に移動することにより、スピーカ本体２が上方向を向く（不図示）。スピーカ本体２を所定の角度に合わせた後、規制部３７により脚部３に保持されている締結部４３を脚部取付部４２に対して螺子締結することにより、脚部３に対するスピーカ本体２の相対的な角度が固定される。
【００２９】
この一連の本発明の実施例１に係るスピーカ装置１の角度調整の間、スピーカ本体取付部４１はスピーカ本体２に設けられたスピーカ本体溝部２３に引っ掛かり、脚部取付部４２は脚部３に設けられた孔部３４に引っ掛かる状態を維持している。従って、本発明の実施例１に係るスピーカ装置１は、スピーカ本体２の角度を調整する際にスピーカ本体２と脚部３との締結が緩んだ場合であっても、スピーカ本体２と脚部３とが外れず、スピーカ本体２の落下を防ぐことが可能である。更に、本発明の実施例１に係るスピーカ装置１は、天井に取り付けられた場合であっても、スピーカ本体２が脚部３から落ちないため、スピーカ本体２が床等に落下し破損することを防ぎ、ユーザに当たることを防ぐことが可能である。
【００３０】
次に、スピーカ本体２と脚部３との取り外し方について説明する。図１０は、スピーカ本体２と脚部３が分離された状態を示す概略図である。図１１は、スピーカ本体２と脚部３を分離するために、各部品を取り外す順番を示す概略図である。本発明の実施例１に係るスピーカ装置１は、上述したように、スピーカ本体２の角度を調整する際、スピーカ本体２と脚部３が固定部４によって繋がった状態である。しかし、スピーカ本体２の修理等により、スピーカ本体２と脚部３とを分離したい場合がある。その場合、図１１に示すように、先ず第１に、締結部４３の締結溝部４４に嵌った規制部３７が規制部挿入孔３６から取り出され、締結部４３が脚部３に保持される状態が解除される。第２に、締結部４３は、脚部取付部４２に対して締結する方向とは反対の方向に回転することにより、脚部取付部４２から外れ、下方の孔部３４２から脚部３の外部へ取り出す。第３に、脚部取付部４２は、孔部３４から取出孔部３５までスライド移動し、スピーカ本体方向に引っ張られることにより、脚部３から外れる。以上により、本発明の実施例１に係るスピーカ装置１は、スピーカ本体取付部４１が引っ掛かったスピーカ本体２と、脚部３とに容易に分離す
ることが可能である。
【００３１】
次に、分離されたスピーカ本体２と脚部３の取り付け方について説明する。図１２は、分離されたスピーカ装置１と脚部３とを繋ぐために、各部品を取り付ける順番を示す概略図である。本発明の実施例１に係るスピーカ装置１は、図１２に示すように、先ず第１に、脚部取付部４２を取出孔部３５から挿入し、孔部３４までスライド移動する。第２に、締結部４３を下方の孔部３４２から挿入し、脚部取付部４２に対して締結部４３を螺子締結する。第３に、規制部３７を規制部挿入孔３６から挿入し、締結部４３の締結溝部４４に嵌める。その結果、締結部４３が脚部３に保持される。尚、脚部取付部４２が孔部３４までスライド移動する前に、脚部取付部４２が取出孔部３５から挿入された際に螺子締結を解除し（締結部４３が脚部取付部４２に対して緩く螺着し）、それから孔部３４までスライド移動し、その後螺子締結（締結部４３が脚部取付部４２に対して強く螺着）してもよい。以上により、本発明の実施例１に係るスピーカ装置１は、容易にスピーカ本体２と脚部３とを取り付けることが可能である。
【実施例２】
【００３２】
本発明の実施例２に係るスピーカ装置１０について説明する。本発明の実施例２に係るスピーカ装置１０は、スピーカ本体２０と、脚部３０と、固定部４０と、結合部５００とを備える。各構成について、図面を基に具体的に説明する。尚、本発明の実施例２に係るスピーカ装置１０は、別途説明が無い限り、スピーカ本体２０が上方、脚部３０が下方に位置する状態で設置されているとする。また、実施例１と同様の構成については説明を省略し、異なる点を中心に説明をする。
【００３３】
図１３は、本発明の実施例２に係るスピーカ装置１０の断面概略図である。図１４は、本発明の実施例２に係るスピーカ装置１０の結合部５００周辺の拡大図である。図１３及び図１４は、左側がスピーカ装置１０の前方、右側がスピーカ装置１０の後方となるように見た、スピーカ装置１０の構造を示す。図１５は、本発明の実施例２に係るスピーカ装置１０の脚部３０上方を示す概略図である。スピーカ本体２０は、図１３に示すように、実施例１に係るスピーカ装置１０におけるスピーカ本体２と同様の構成であるため、説明を割愛する。脚部３０は、スピーカ本体２０を支持し、且つスピーカ本体２０を保持する。脚部３０は、土台部３１０と首部３２０を有する。脚部３０は、図１３及び図１４に示すように、首部３２０のスピーカ本体２０側に、鉛直方向に貫通した孔部３４０が設けられる。孔部３４０は、上方と下方で異なる径の孔を有し、上方の孔部３４１が固定部４０の脚部取付部４２０を挿入することが可能な大きさであり、締結部４３０よりも小さい。下方の孔部３４２が締結部４３０を挿入することが可能な大きさである。更に、脚部３０は、首部３２０の上方に、結合部５００を取り付ける結合部取付溝部３９０と、該結合部取付溝部３９０を通るように左右方向に貫通した結合部取付孔部３９１とを有する。
【００３４】
固定部４０は、スピーカ本体２０と脚部３０とを固定する。固定部４０は、図１３及び図１４に示すように、スピーカ本体取付部４１０と、脚部取付部４２０と、締結部４３０とを有する。スピーカ本体取付部４１０は、脚部取付部４２０よりも径が大きい。スピーカ本体取付部４１０は、スピーカ本体２０に設けられたスピーカ本体溝部２３０に引っ掛かることにより、スピーカ本体２０に取り付けられる。また、スピーカ本体取付部４１０は、スピーカ本体溝部２３０に沿ってスピーカ本体２０の前後方向にスライド移動することが可能である。尚、スピーカ本体取付部４１０と中空部２２０の底面との間に、結合部５００を有する。脚部取付部４２０は、スピーカ本体取付部４１０と繋がっており、脚部３０が有する孔部３４０に挿入され、該孔部３４０の下方から飛び出る。更に、脚部取付部４２０は、外面に螺旋状の溝が切られており（不図示）、雄ネジの役割をする。締結部４３０は、脚部取付部４２０の外面に形成された溝に嵌り合うように、内面に螺旋状の溝が切られており（不図示）、雌ネジの役割をする。締結部４３０は、孔部３４０の下方か
ら挿入され、孔部３４０の下方に突出している脚部取付部４２０に対して螺子締結することにより、スピーカ本体２０と脚部３０とを固定する。締結部４３０が脚部取付部４２０に対する螺子締結を解除することにより、スピーカ本体２０と脚部３０との締結が解除され、固定が解除される。
【００３５】
結合部５００は、スピーカ本体２０と脚部３０とを結ぶ。結合部５００は、スピーカ本体側結合部５０１と、脚部側結合部５０２と、スピーカ本体側結合部５０１と脚部側結合部５０２とを繋ぐ軸部５０３と、脚部３０に固定する固定ネジ５０４を有する。スピーカ本体側結合部５０１は、スピーカ本体溝部２３０に引っ掛かるスピーカ本体取付部４１０と、スピーカ本体２０の中空部２２０の底面との間に取り付けられ、スピーカ本体取付部４１０の下方を囲むように設けられる。その結果、スピーカ本体側結合部５０１は、スピーカ本体溝部２３０に引っ掛かり、スピーカ本体２０から取れない。尚、スピーカ本体側結合部５０１が中空部２２０の底面と接する面は、中空部２２０の底面の曲面と同じ径の曲面により形成されている曲面部５０５を有する。その結果、スピーカ本体取付部４１０が、スピーカ本体溝部２３０に沿ってスライド移動し易い。脚部側結合部５０２は、脚部３０の結合部取付溝部３９０（図１５参照）に嵌められる。また、脚部側結合部５０２の中心に固定ネジ挿入孔５０６が設けられる。固定ネジ５０４が、結合部取付孔部３９１と固定ネジ挿入孔５０６を通ることにより、脚部側結合部５０２が脚部３０に固定される。更に、スピーカ本体側結合部５０１は、固定ネジ５０４で固定された脚部側結合部５０２を軸として、軸回転方向に自由に可動することが可能である。また、固定ネジ５０４を外すことにより、容易に脚部側結合部５０２と脚部３０との固定が解除される。尚、本発明の実施例２に係るスピーカ装置１０は、スピーカ本体側結合部５０１が中空部２２０の外に設けられ、スピーカ本体側結合部５０１がスピーカ本体２０と外れないように設けられてもよい。
【００３６】
次に、本発明の実施例２に係るスピーカ装置１０の角度調整方法について説明する。本発明の実施例２に係るスピーカ装置１０は、図１３に示すように、固定部４０によってスピーカ本体２０と脚部３０とを固定し、スピーカ本体２０の脚部３０に対する相対的な角度が固定されている。スピーカ本体２０の角度を調整する際は、先ず、脚部取付部４２０に対して螺子締結する方向とは反対の方向に締結部４３０を回転することにより、締結部４３０が脚部取付部４２０に対する締結を解除し、スピーカ本体２０と脚部３０との固定が解除される。次に、スピーカ本体２０が、スピーカ本体取付部４１０及びスピーカ本体側結合部５０１を軸としてスピーカ本体２０の前後方向にスピーカ本体溝部２３０に沿ってスライド移動することにより、脚部３０に対する相対的な角度が変化する。スピーカ本体２０を所定の角度に合わせた後、締結部４３０を脚部取付部４２０に対して螺子締結することにより、脚部３０に対するスピーカ本体２０の相対的な角度が固定される。
【００３７】
この一連の本発明の実施例２に係るスピーカ装置１０の角度調整の間、スピーカ本体側結合部５０１は、スピーカ本体溝部２３０に引っ掛かり、スピーカ本体側結合部５０１は脚部３０に取り付けられているため、スピーカ本体２０と脚部３０とが結合部５００により結合されている。従って、本発明の実施例２に係るスピーカ装置１０は、スピーカ本体の角度を調整する際に、スピーカ本体２０と脚部３０との締結が緩み、又は解除された場合であっても、スピーカ本体２０と脚部３０とが外れず、スピーカ本体２０の落下を防ぐことが可能である。更に、本発明の実施例２に係るスピーカ装置１０は、天井に取り付けられた場合であっても、スピーカ本体２０が脚部３０から落ちないため、スピーカ本体２０が床等に落下し破損することを防ぎ、ユーザに当たることを防ぐことが可能である。
【００３８】
次に、スピーカ本体２０と脚部３０との取り外し方について説明する。図１６は、締結部４３０が脚部取付部４２０に対する締結を解除した状態を示す概略図である。本発明の実施例２に係るスピーカ装置１０は、上述したように、スピーカ本体２０の角度を調整す
る際、スピーカ本体２０と脚部３０が結合部５００によって繋がった状態である。しかし、スピーカ本体２０の修理等により、スピーカ本体２０と脚部３０とを分離したい場合がある。その場合、図１４から図１６に示すように、先ず第１に、固定ネジ５０４を結合部取付孔部３９１と固定ネジ挿入孔５０６から外す。第２に、締結部４３０を脚部取付部４２０に対して締結する方向とは反対の方向に回転させることにより、締結部４３０と脚部取付部４２０との締結を解除し、下方の孔部３４２から脚部３０の外部へ取り出す。尚、第１と第２の手順は逆でもよい。第３に、スピーカ本体２０を上方向に持ち上げ、脚部取付部４２０を脚部３０の孔部３４０から取り出し、固定部４０が脚部３０から外れる。その結果、本発明の実施例２に係るスピーカ装置１０は、固定部４０と結合部５００が引っ掛かったスピーカ本体２０と、脚部３０とに容易に分離することが可能である。
【００３９】
次に、分離されたスピーカ本体２０と脚部３０の取り付け方について説明する。本発明の実施例２に係るスピーカ装置１０は、先ず第１に、脚部取付部４２０を脚部３０の孔部３４０に挿入する。第２に、脚部３０の結合部取付溝部３９０に、結合部５００の脚部側結合部５０２を挿入し、固定ネジ５０４を結合部取付孔部３９１と固定ネジ挿入孔５０６に挿入する。第３に、締結部４３０を脚部取付部４２０に対して締結する方向に螺子締結させ、スピーカ本体２０と脚部３０とを固定する。この際、スピーカ本体側結合部５０１は、スピーカ本体取付部４１０の下方を囲むように設けられており、固定ネジ５０４で固定されている脚部側結合部５０２を軸として、軸回転方向に中空部２２０の中を自由に可動する。その結果、中空部２２０の中でスピーカ本体取付部４１０が暴れることがなく、結合部５００が脚部取付部４２０に対して螺子締結し易い。以上により、本発明の実施例２に係るスピーカ装置１０は、容易にスピーカ本体２０と脚部３０とが取り付けられる。
【符号の説明】
【００４０】
１、１０・・・スピーカ装置
２、２０・・・スピーカ本体
２１・・・スピーカ
２２・・・中空部
２３、２３０・・・スピーカ本体溝部
３、３０・・・脚部
３１、３１０・・・土台部
３２、３２０・・・首部
３３・・・突起
３４、３４０・・・孔部
３５・・・取出孔部
３６・・・規制部挿入孔
３７・・・規制部
３８・・・溝
４、４００・・・固定部
４１、４１０・・・スピーカ本体取付部
４２、４２０・・・脚部取付部
４３、４３０・・・締結部
４４・・・締結溝部
５００・・・結合部
【図１】
0005688994.tif 000002
【図２】
0005688994.tif 000003
【図３】
0005688994.tif 000004
【図４】
0005688994.tif 000005
【図５】
0005688994.tif 000006
【図６】
0005688994.tif 000007
【図７】
0005688994.tif 000008
【図８】
0005688994.tif 000009
【図９】
0005688994.tif 000010
【図１０】
0005688994.tif 000011
【図１１】
0005688994.tif 000012
【図１２】
0005688994.tif 000013
【図１３】
0005688994.tif 000014
【図１４】
0005688994.tif 000015
【図１５】
0005688994.tif 000016
【図１６】
0005688994.tif 000017